(57)【要約】【課題】フックボルト等の突起物を使用せずに電柱にバンド本体を取り付けることができる電柱用バンドを提供すること。【解決手段】電柱用バンド１は、長手方向に掛止孔１１ａが複数設けられ、その先端にバックル１３が設けられたバンド本体１１と、バンド本体１１の掛止孔１１ａに掛止するフック状の仮止部１２ａ１が先端１２ａ側に設けられ、後端１２ｂからバックル１３に挿通してその後端１２ｂを仮止部１２ａ１側に折り返すことにより電柱の外周面に巻き回したバンド本体１１を締め付ける係止部材１２とを有する。【選択図】図１
2013176172.tif 000002
【特許請求の範囲】
【請求項１】
長手方向に掛止孔が複数設けられ、その先端にバックルが設けられたバンド本体と、
バンド本体の掛止孔に掛止するフック状の仮止部が先端に設けられ、後端からバックルに挿通してその後端を仮止部側に折り返すことにより電柱の外周面に巻き回したバンド本体を締め付ける係止部材と、
を有する電柱用バンド。
【請求項２】
請求項１記載の電柱用バンドにおいて、
前記バックルは、
バックル本体部と、
そのバックル本体部の表面との間に係止部材の厚さ以上の間隔を有する挿通孔を形成し、その挿通孔の入口側から出口側へ係止部材を挿通させた後、その出口側から入口側へ折り返される係止部材を支持する折返し支持部と、
バックル本体部における挿通孔の入口側にバックル本体部の両側から折り曲げられることにより係止部材をその両側からバックル本体部表面との間で挟持する舌片部とから構成され、
前記折返し支持部の出口側の端部には、波形状の抜止め部が設けられており、抜止め部の先端部の断面形状を鋭角に形成したことを特徴とする電柱用バンド。
【請求項３】
請求項２記載の電柱用バンドにおいて、
前記抜止め部の先端部は、バックル中で最も板厚が薄いことを特徴とする電柱用バンド。
【発明の詳細な説明】
【技術分野】
【０００１】
本発明は、電柱に対して種々の機器を取り付けるために用いる電柱用バンドに関する。
【背景技術】
【０００２】
従来の電柱用バンドとして、例えば、長手方向に沿って複数の掛止孔を並べて設けたバンド本体の基部にＵ字状の緊締受金を設け、その緊締受金の相対する前後部片にフックボルトを貫通させ、後部片から突出するフックボルトの先端に、掛止孔間の掛止部片に掛止する鉤状フックを設け、前部片から突出する基端側のネジ部にナットを螺合するものを提案している（例えば、特許文献１，２参照。）。
【先行技術文献】
【特許文献】
【０００３】
【特許文献１】特開２０１１−２５４６８３号公報
【特許文献２】特開２０１１−２４４５８５号公報
【発明の概要】
【発明が解決しようとする課題】
【０００４】
しかし、前述の電柱用バンドでは、フックボルト等が突出する構造であり、フックボルト等の取付位置によっては作業の障害になるおそれがある。
【０００５】
そこで、本発明は、フックボルト等の突起物を使用せずに電柱にバンド本体を取り付けることができる電柱用バンドを提供することを目的とする。
【課題を解決するための手段】
【０００６】
前記課題を解決するため本発明に係る電柱用バンドでは、長手方向に掛止孔が複数設けられ、その先端にバックルが設けられたバンド本体と、バンド本体の掛止孔に掛止するフック状の仮止部が先端に設けられ、後端からバックルに挿通してその後端を仮止部側に折り返すことにより電柱の外周面に巻き回したバンド本体を締め付ける係止部材と、を有する。
ここで、前記バックルは、バックル本体部と、そのバックル本体部の表面との間に係止部材の厚さ以上の間隔を有する挿通孔を形成し、その挿通孔の入口側から出口側へ係止部材を挿通させた後、その出口側から入口側へ折り返される係止部材を支持する折返し支持部と、バックル本体部における挿通孔の入口側にバックル本体部の両側から折り曲げられることにより係止部材をその両側からバックル本体部表面との間で挟持する舌片部とから構成され、前記折返し支持部の出口側の端部には、波形状の抜止め部が設けられており、抜止め部の先端部の断面形状を鋭角に形成すると良い。
また、前記抜止め部の先端部は、バックル中で最も板厚が薄くなるようにすると良い。
【発明の効果】
【０００７】
本発明の電柱用バンドによれば、バックルが設けられたバンド本体を電柱の外周面に巻き回した後、バンド本体の掛止孔に係止部材先端の仮止め部を掛止して仮止めし、その後、係止部材をその後端からバックルに挿通してその後端を先端部の仮止部側に折り返すことによりバンド本体を電柱に取り付けるようにしたため、フックボルト等の突起物を使用せずに電柱にバンド本体を取り付けることができる。
【図面の簡単な説明】
【０００８】
【図１】（ａ），（ｂ）、それぞれ、電柱用バンドの平面図、正面図である
【図２】（ａ），（ｂ）、それぞれ、バンド本体に固着された状態のバックルを拡大して示す平面図、正面図である。
【図３】バックルの斜視図
【図４】（ａ）〜（ｃ）、それぞれ、バックルの平面図、正面図、背面図である。
【図５】（ａ），（ｂ）、それぞれ、折返し支持部の出口側に設けた抜止め部の形状を示す平面図、図４（ａ）におけるＡ−Ａ線断面図（部分拡大図を含む。）である。
【図６】電柱に実施形態の電柱用バンドのバンド本体を巻き回した状態を示す図である。
【図７】（ａ），（ｂ）、それぞれ、係止部材先端の仮止部をバンド本体の掛止孔に掛止した仮止め状態を示す図、その仮止め状態にて係止部材１２の後端を折り返す状態を示す図である。
【図８】（ａ），（ｂ）、それぞれ、仮止め状態にて係止部材の後端を折り返した状態、さらに舌片部を折り曲げた状態を示す図である。
【図９】（ａ），（ｂ）、それぞれ、電柱に本実施形態の電柱用バンドを取り付けた状態を示す平面図、正面図である。
【図１０】抜止め部の他の形状を示す平面図である。
【発明を実施するための形態】
【０００９】
以下、本発明にかかる電柱用バンド１の実施形態について、図面を参照して説明する。
【００１０】
図１（ａ），（ｂ）は、それぞれ、電柱用バンド１の平面図、正面図である。図１に示すように、この電柱用バンド１は、バンド本体１１と、係止部材１２とから構成されている。バンド本体１１は、長手方向に掛止孔１１ａが複数設けられ、その先端側にバックル１３が固着されている一方、後端側に仮止部１１ｂが設けられている。なお、バンド本体１１の仮止部１１ｂは、省略しても良い。係止部材１２は、先端１２ａ側にバンド本体１１の掛止孔１１ａに掛止するフック状の仮止部１２ａ１が設けられている。そして、後端１２ｂ側からバックル１３に挿通し、その後端１２ｂを後述する図７（ｂ）や図８（ａ）に示すように仮止部１２ａ１側に折り返すことにより電柱の外周面に巻き回したバンド本体１１を締め付けるものである。
【００１１】
図２（ａ），（ｂ）は、それぞれ、バンド本体１１に固着された状態のバックル１３を拡大して示す平面図、正面図である。また、図３は、バックル１３の斜視図、図４（ａ）〜（ｃ）は、それぞれ、バックル１３の平面図、正面図、背面図である。
【００１２】
図２〜図４に示すように、バックル１３は、バックル本体部１３ａと、折返し支持部１３ｂと、舌片部１３ｃとから構成されており、バンド本体１１の先端部にハトメ１４等により固着されている。なお、ハトメ１４に限らずスポット溶接等により固着するようにしても良い。
【００１３】
折返し支持部１３ｂは、平板状のバックル本体部１３ａに係止部材１２の短手方向の長さ以上の切込みを２条入れ、その切り込み間を起こして形成されたもので、バックル本体部１３ａの表面との間に係止部材１２の厚さ以上の間隔を有する挿通孔１３ｄを形成している。そのため、折返し支持部１３ｂは、その挿通孔１３ｄの入口１３ｄ１側から出口１３ｄ２側へ係止部材１２の後端１２ｂを挿通させた後、その後端１２ｂを出口１３ｄ２側から入口１３ｄ１側へ折り返すことにより、係止部材１２を支持できる。
【００１４】
また、折返し支持部１３ｂの裏面とバックル本体部１３ａの表面との間に、係止部材１２の厚さ以上の間隔を有する挿通孔１３ｄを設けるため、本実施形態では、図３や図４に示すように、係止部材１２が通るバックル本体部１３ａの中央部をその両端部よりも窪ませている。
【００１５】
舌片部１３ｃは、バックル本体部１３ａにおける挿通孔１３ｄの入口１３ｄ１側の端部にバックル本体部１３ａの両側から途中まで切り込みを入れて、起こすことで設けられており、折り曲げられることにより係止部材１２をその両側からバックル本体部１３ａの表面との間で挟持するものである。ここで、バックル本体部１３ａにおける舌片部１３ｃを設ける位置は、図２（ａ）や図４（ａ）に示すように、ハトメ１４を打ち込む位置からずらしている。そのため、図４（ｂ），（ｃ）等に示すように、ハトメ１４の頭部がバックル本体部１３ａの表面側に突出していると、舌片部１３ｃを折り曲げて係止部材１２をその両側からバックル本体部１３ａの表面との間で挟持する際、係止部材１２がハトメ１４の頭部を通過する場合と、両側の舌片部１３ｃにより挟持されて通過する場合とで、通過する高さが異なり、係止部材１２が折れ曲がるので、舌片部１３ｃによる抜け止め効果が増大している。また、舌片部１３ｃを折り曲げて係止部材１２をその両側からバックル本体部１３ａの表面との間で挟持することで、係止部材１２の端部や余長部の浮き上がりを防ぎ、歩道側への突出を防ぐことができる。
【００１６】
図５（ａ），（ｂ）は、それぞれ、折返し支持部１３ｂの出口１３ｄ２側に設けた抜止め部１３ｂ１の形状を示す平面図、図４（ａ）におけるＡ−Ａ線断面図（部分拡大図を含む。）である。図５（ａ）に示すように、折返し支持部１３ｂの出口１３ｄ２側は、バックル本体部１３ａに係止部材１２の短手方向に延びる波形状の切込みを入れて起こすことにより、波形（山形）状の抜止め部１３ｂ１を設けている。そのため、その抜止め部１３ｂ１に対向するバックル本体部１３ａの端部も、図３等に示すように波形状に形成されている。そして、本実施形態では、抜止め部１３ｂ１の波形状の先端部を面押し等により潰して先端部に向かって傾斜させ、図５（ｂ）に示すように刃物の刃形状のように鋭角に形成し、その先端部の板厚をバックル１３中で最も薄くしている。
【００１７】
次に、実施形態の電柱用バンド１を電柱２に巻き付ける方法を、図６〜図８を参照して説明する。
【００１８】
まず、図６に示すように電柱２に電柱用バンド１のバンド本体１１を巻き回し、バンド本体１１後端の仮止部１１ｂを掛止孔１１ａに仮止め（仮留め）した後、バンド本体１１先端のバックル１３に係止部材１２の後端１２ｂを通す。
【００１９】
次に図７（ａ）に示すように係止部材１２の先端１２ａの仮止部１２ａ１を、電柱２に巻き回したバンド本体１１の掛止孔１１ａに掛止して仮止めを行い、その後、一般に流通する締付工具等を用いて、図７（ｂ）に示すように係止部材１２の後端１２ｂを引っ張りながら折返し支持部１３ｂのところで係止部材１２の先端１２ａ側へ折り返すことにより、電柱２の外周面に巻き回したバンド本体１１を締め付ける。
【００２０】
そして、図８（ａ）に示すように折返し支持部１３ｂで折り返した係止部材１２を舌片部１３ｃ間に通し、ハンマー等の打撃により図８（ｂ）に示すように舌片部１３ｃを折り曲げることにより、電柱２の外周面に巻き回したバンド本体１１を締め付けた状態で係止部材１２をバンド本体１１に固定できる。なお、舌片部１３ｃから突出する係止部材１２の余長部分は、切断する。すると、図９（ａ），（ｂ）に示すように電柱用バンド１を電柱２に巻き付けることができる。
【００２１】
ここで、折返し支持部１３ｂの抜止め部１３ｂ１の先端部は、波形状に形成されているので、係止部材１２を折り返した際、波形状の頂部にバンド本体１１の締付時の張力が集中して、その摩擦抵抗により係止部材１２の引張方向への抜け出しを防止できる。
【００２２】
特に、本実施形態の場合、抜止め部１３ｂ１の先端部の断面形状は、面押し等により鋭角に形成し、その先端部の板厚をバックル１３中で最も薄くしている。そのため、係止部材１２の折り曲げ（折り返し）角度がより鋭角になり、また、係止部材１２を折り返した際の内側間隔を狭くなるので、折り返した係止部材１２が抜止め部１３ｂ１に密着して、抜止効果がより大きくなる。
【００２３】
なお、本実施形態の説明では、抜止め部１３ｂ１は、図５（ａ）に示すような波形状により説明したが、図１０に示すように波形状の先端部を先割れ形状とした抜止め部１３ｂ１’により構成しても良い。このようにすると締め付け時の張力を受ける頂部が増えるので、係止部材１２への食い付きを促し、抜け止め効果をさらに増大させることができる。
【符号の説明】
【００２４】
１  電柱用バンド
１１  バンド本体
１１ａ  掛止孔
１２  係止部材
１２ａ１  仮止部
１３  バックル
１３ａ  バックル本体部
１３ｂ  折返し支持部
１３ｂ１，１３ｂ１’   抜止め部
１３ｃ  舌片部
１３ｄ  挿通孔
【図１】
2013176172.tif 000003
【図２】
2013176172.tif 000004
【図３】
2013176172.tif 000005
【図４】
2013176172.tif 000006
【図５】
2013176172.tif 000007
【図６】
2013176172.tif 000008
【図７】
2013176172.tif 000009
【図８】
2013176172.tif 000010
【図９】
2013176172.tif 000011
【図１０】
2013176172.tif 000012